(57)【要約】      （修正有）【課題】皮膚の傷みをできるだけ少なくし、安価で、誰でも手軽に行える筋膜リリースの方法を提供する。【解決手段】シリコン樹脂などの、接する物体との摩擦係数を大きくする素材を用い、素材により作製された器具ａなどを手で持つなどして、筋膜リリースをしたい部位の皮膚表面ｂに密着するよう適度な力で押し付け、適度な幅で往復、またはランダムに小刻みに動かすことにより筋膜リリースを行う。【選択図】図１
2017189567.tif 000002
【特許請求の範囲】
【請求項１】
接する物体との摩擦係数を大きくする素材を皮膚に押し付け、その押し付けた範囲は分断されていない連続面であり、その範囲を小刻みに動かすことによって皮膚と浅筋膜との癒着を改善に導く方法
【発明の詳細な説明】
【技術分野】
【０００１】  本発明は、筋膜リリースの方法に関する。
【背景技術】
【０００２】  皮膚と、皮下脂肪を包む浅筋膜との癒着を改善に導く、いわゆる筋膜リリースについて、それを実現する機器は存在している。
【先行技術文献】
【０００３】
【非特許文献１】メディセル［平成２８年３月１１日検索］、インターネット〈ＵＲＬ：ｈｔｔｐ：／／ｗｗｗ．ｍｊ−ｃｏｍｐａｎｙ．ｃｏ．ｊｐ／ａｂｏｕｔ〉
【非特許文献２】ＰＲセル［平成２８年３月１１日検索］、インターネット〈ＵＲＬ：ｈｔｔｐ：／／ｗｗｗ．ｒｅｓｐｅｃｔ−ｆｏｒｃｅ．ｃｏ．ｊｐ／ｄｅｔａｉｌ．ｈｔｍｌ？ｄｅｔａｉｌ＿ｉｄ＝６１１〉
【非特許文献３】スーパーセルライト［平成２８年３月１１日検索］、インターネット〈ＵＲＬ：ｈｔｔｐ：／／ｔａｉｓｙａ．ｎｅｔ／ｐｒｏｄｕｃｔ／ｍｅｔａｂｏ／ｓｕｐｅｒｃｅｌｌｕｌｉｔｅ．ｈｔｍｌ〉
【０００４】  上記非特許文献１は、皮膚を吸引することで皮膚と浅筋膜との癒着を解消する働きを持つ機器であり、血液やリンパの流れをよくする効果を持つ。
主に医療分野にて使用されているが、次のような効果から、美容分野でも活用されている。
皮膚と浅筋膜との癒着が解消されれば血液やリンパの流れがスムーズになり、このことで老廃物の排出も促進される。
セルライトとは、皮下脂肪組織が水分や老廃物をため込んだものであるが、上記非特許文献１に挙げられている機器は、セルライトなどを除去する働きも持ち合わせている。
【０００５】  また、上記非特許文献２と３も、非特許文献１とほぼ同じ原理、仕様であり、主に美容分野で活用されている機器である。
【発明が解決しようとする課題】
【０００６】  しかしながら、上記非特許文献に挙げた３機器は、部位によっては強い吸引力で機器のヘッド部との摩擦によって炎症が起きるなど、皮膚が傷みやすい。
また、それを避けるために吸引力を下げると効果は薄くなる。
またこれらの機器は高価であるうえに、接骨院や治療院、エステサロンなど使用場所が限られている。
【０００７】  したがって、本発明の目的は、皮膚の傷みを最低限に抑え、安価で、誰でもが簡便に筋膜リリースを行う方法を提供することにある。
【課題を解決するための手段】
【０００８】  本発明は、シリコン樹脂などの、接する物体との摩擦係数を大きくする物質を利用する。
当該物質により作製された物体を手で持つなどして、筋膜リリースをしたい部位の皮膚表面に密着するよう適度な力で押し付け、適度な幅で往復、またはランダムに小刻みに動かすことにより上記目的を達成するものである。
【発明の実施形態】
【０００９】  まず、接する物質との摩擦係数を大きくする素材で皮膚をとらえる。
この時、とらえられた範囲はどこも分断されておらず、連続面であることが必要である。
もしも分断された２範囲をとらえて同じ方法で実行すれば、実際に本方法の効力を期待するのは２つの範囲それぞれであり、２範囲の間にある皮膚とその皮下に効力を期待するものではない。
そしてその状態で、こするような動作で動かす。
これは、一直線上の往復動作であっても、ランダムな方向であってもよい。
なおこの場合、接する物質との摩擦係数を大きくする素材で皮膚をしっかりととらえているため、皮膚をこすって傷めてしまうことはない。
【発明の効果】
【００１０】  上記非特許文献に挙げた３機器はどれも、皮膚表面を付属のヘッド部によって吸引することで皮膚をとらえ、その状態での往復動作によって皮膚と浅筋膜との癒着を解消し、本来あるべき隙間を作る。
これに対し本発明の方法は、接する物体との摩擦係数を大きくする素材によって皮膚を引っかけることで皮膚をとらえ、その状態で往復動作をすることにより皮膚と皮下組織との癒着を解消し、本来あるべき隙間を作る。
このように上記非特許文献に挙げた３機器と本発明品の最大の相違点は、皮膚を吸引力によりとらえるか、接する物体との摩擦係数を大きくする素材によって皮膚を引っかけることによってとらえるか、にある。
このように本発明における器具は、機器による調節ではなく使用者本人の皮膚感覚による調節であるため、常に皮膚への負担が少なくなるように考慮できる。
【００１１】  なお、上記非特許文献に挙げた３機器は、被施術者は施術部位によっては服を脱ぐ必要があるが、本発明における方法の場合、服の下で簡単に施術ができるためその必要がないという利点がある。
【００１２】  さて、皮膚と浅筋膜との癒着は、たるみ、シワ、シミ、黒ずみ、クスミ、ザラつきなどとなって皮膚表面に現れるが、上記非特許文献に挙げた３機器は、これらを解消するためにも使用されている。
よって、本方法により筋膜リリースを行えば、皮膚と浅筋膜との癒着が原因となって現れていたそれらの状態は改善に導かれることが期待できる。
【００１３】  さて、接する物体との摩擦係数を大きくするシリコン樹脂を利用した美容器具や、ゴムを利用した医療用器具は存在している。
【００１４】
【非特許文献４】シリコンプチローラー［平成２８年３月１１日検索］、インターネット〈ＵＲＬ：ｈｔｔｐ：／／ｗｗｗ．ｉｄｍ−ｎｅ．ｃｏｍ／ａｉｔｅｍ／ｓｉｌｉｃｏｎｅ＿ｐｕｃｈｉ＿ｒｏｌｌｅｒ／〉
【非特許文献５】ミオラブ［平成２８年３月１１日検索］、インターネット〈ＵＲＬ：ｈｔｔｐ：／／ｗｗｗ．ｍｙｏｒｕｂ．ｎｅｔ／ａｃｃｅｓｓ．ｈｔｍｌ〉
【００１５】  上記非特許文献４には柔らかいシリコンを使用した美容器具が挙げられている。
具体的には、スティック状部の先端に取り付けられたローラーが柔らかいシリコンで作製されており、この部分を皮膚の上で滑らせるものである。
この場合、このローラー部が皮膚を通過する際に、シリコンの粘着力が当該皮膚を持ち上げるのであるが、ローラー部がシリコン以外の素材で作製されている場合と比べ皮膚が一時的に持ち上がる、という程度である。
本発明の目的とする筋膜リリースには、上記非特許文献１，２，３に挙げたような、皮膚を吸引して確実にとらえるほどの力が必要であるので、上記非特許文献４にあるような皮膚が一時的に持ち上がる程度の粘着力では本発明の目的とする力は発揮できない。
これに対し本発明方法によれば、シリコンなど、接する物体との摩擦係数を大きくする素材が持つ皮膚への粘着力は、皮膚を確実にとらえる役割を果たすものである。
この点において、本発明における器具は上記非特許文献４とは異なる。
【００１６】  次に、上記非特許文献５には、ゴムのカバーをかぶせて使用する器具が挙げられている。
ゴムは接する素材との摩擦係数を大きくするため、一見、本発明方法と類似しているようであるが、上記非特許文献５に挙げられている器具はもともと鍼治療の切皮時の一時痛を取り除くために開発されたものであり、そもそも本発明における方法とは意図が全く異なる。
【００１７】  また、上記非特許文献５に挙げられている器具は、基本的に患部をまたいだ２点で皮膚をとらえ、その２点間の皮膚全体を動かすことを目的として使用するものである。
これに対し、本発明方法は、筋膜リリースを行いたい部分に直接この方法を実施するものであることが大きな違いである。
【００１８】  さらにまた、上記非特許文献５に挙げられている器具は、一直線上の往復動作が主な動きであるが、本発明方法は、一直線上の往復動作に限らずあらゆる方向に動かして効果を期待するものである。
【００１９】  なお、上記非特許文献５に挙げられている器具は、販売対象者が指定されており、特別に講習会が必要など高度な技術を必要とするものである。
これに対し本発明品方法は、施術したい場所をとらえてこする動作をするだけでよく、誰でもが簡単にできる操作であるため使用法の特別な教授も必要もない。
【００２０】  以上のような点において、本発明方法は従来方法とは異なるものである。
【図面の簡単な説明】
【００２１】
【図１】本発明方法の実施にあたり、接する物体との摩擦係数を大きくする素材により作製された物質が皮膚表面をとらえている場合の例（ただし、当該物質を持つ手は描写していない）
【図２】本発明方法の実施に当たり、接する物体との摩擦係数を大きくする素材により作製された薄いシート状の物質を指に巻き付け、皮膚表面をとらえている場合の例
【符号の説明】
【００２２】ａ  接する物体との摩擦係数を大きくする素材により作製された、本発明方法を実施するための器具
ｂ  皮膚表面
ｃ  接する物体との摩擦係数を大きくする素材により作製された物質と、皮膚表面との接触面
ｄ  接する物体との摩擦係数を大きくする素材により作製された薄いシート状の物質を巻き付けた指
【図１】
2017189567.tif 000003
【図２】
2017189567.tif 000004